(57)【要約】      （修正有）【課題】ボトルに残したアルコール飲料を保存しても変質しないように、空いた空間の空気を不活性ガスで置換する器具を提供する。【解決手段】コック付きの外径１９ｍｍ以下のパイプを直径１５ｍｍ以上、２５ｍｍ以下の円錐台形のゴム栓に通したパイプを、コックを挟んでゴム栓と反対側の口を容量０．１リットル以上のポリ袋またはゴム袋につないだ、使用時に袋を炭酸ガスで満たし、アルコール飲料瓶内の空気を炭酸ガスで置換するための器具。【選択図】図１
0003196539.tif 000002
【実用新案登録請求の範囲】
【請求項１】
コック付きの外径１９ｍｍ以下のパイプを直径１５ｍｍ以上、２５ｍｍ以下の円錐台形のゴム栓に通したパイプの、コックを挟んでゴム栓と反対側の口を容量０．１リットル以上のポリ袋またはゴム袋につないだ、使用時に袋を炭酸ガスで満たし、アルコール飲料瓶内の空気を炭酸ガスで置換するための器具
【考案の詳細な説明】
【技術分野】
【０００１】
本発明は、ボトルに残したアルコール飲料を保存しても変質しないように、空いた空間の空気を不活性ガスで置換する器具に関する
【背景技術】
【０００２】
アルコール飲料、ワインに限らず、日本酒などのアルコール度の低い酒類は飲み残すと酸化するため、消費者は、なるべく飲み残さないように７００ｍｌまたは１升以上を1日で飲もうとする。これは、アルコール度の高いウイスキーや、ブランデー等でも同様で、通常、７００ｍｌ以上を１、2日で飲む者が多いが、この様な量を急いで飲むのは健康に良くないことが知られている。国民の健康の為には、この様な事態を避ける手段が必要と思われる。ワインなどの飲み残しの酸化を防ぐ方法は特許でいくつか出願され、（A）栓の裏に酸化防止剤を貼る方法や、（B)プラスチック瓶を使い、飲むのと合わせて瓶を押しつぶして空気の入るスペースを減らす方法、（C)飲んで出来たスペースの分小さなガラス片を入れて空気を追い出す方法等が知られている。しかし、（A)は、酸化防止剤が、ビンの中に落ちる恐れが有り、（B)（C)は飲んだ量が増したとき、瓶が壊れたり、小さなガラス片を大量に入れるため、ガラス片の除去が必要になったりして、必ずしも良い方法ではなかった。
【先行技術文献】
【特許文献】
【０００３】
【特許文献１】特許公開２００５−１３２４７５
【特許文献２】特許公開２０１０−１００３２０
【特許文献３】特許公開２００１−１３９０３２
【考案の概要】
【考案が解決しようとする課題】
【０００４】
本発明は、アルコール飲料を汚染することなく、酸化による変性を避ける手軽な方法に関わるものである。すなわち、アルコール飲料を飲んだ後の空間の空気を、不活性な気体で置換することで酸化を防止する方法を与える物である。不活性な気体は、主にドライアイスから得られる炭酸ガスを利用し、飲料を飲んだ後の空いたスペースの空気を炭酸ガスで置換することで長期保存に耐える様にする方法を与えるものである。
【課題を解決するための手段】
【０００５】
本発明は、アルコール飲料を汚染することなく、空気酸化による変性を避ける手軽な方法に関わるもので、アルコール飲料を飲んで、空いたスペースの空気を、不活性な気体で置換することで酸化を防止する方法を与える物で、不活性な気体としてドライアイスから得られる炭酸ガスを利用し、飲料を飲んだ後の空いたスペースの空気を炭酸ガスで置換することで長期保存に耐える様にするものである。まず、ドライアイスを袋に入れ、空気を追い出したのち、放置して、炭酸ガスの詰まった袋を用意し、使用時、図1、図２の如く、炭酸ガスの袋にゴム栓の付いたパイプをつないだ物とし、このゴム栓部分をアルコール飲料の口にあて、パイプのコックを開け、ガスを瓶に吹き込んで中の空気を２倍以上の炭酸ガスで置換するものである。
ドライアイスまたは炭酸ガスを入れる袋は、密閉性の悪い布の袋などではなく、プラスチック製の袋、特に空気透過性が低いブチルゴムや、ポリエステル等の袋が良いが、安価な、やや空気透過性の高い天然ゴム製のゴム風船でも良い。容量は複数回分の炭酸ガスを保管することも考えると、実用上、最低０．１リットル以上、100リットル以下程度が良い。袋は、ドライアイスを入れ、炭酸ガスを吹き出す口が必要で、１つ、または２つの口が有る必要が有る。袋の口が一つの場合、袋の口の内径はパイプの口の外径程度であると同時に、固形のドライアイスが入る大きさに伸びるか、口の大きさを変えられる必要が有り、ゴム製の袋または口の部分がゴムの袋なら、袋の口の内径がパイプの外径として直径１０ｍｍ以上、３０ｍｍ以下程度、引っ張って開いたときの直径が２０ｍｍ以上から９０ｍｍ以下程度になる事が好ましい。口の大きさを変えるには、図３の様な取り外せる漏斗状の口が付いたもので有れば良い。口を２つ持つ袋では、内径がパイプの外径と一致する口の他に、ドライアイスを投入するために、直径１５ｍｍ以上、１００ｍｍ以下程度の口が必要で、ドライアイスを入れた後閉じて気密にするため、図４の様に、口の部分がチャックが付いているか、図５の様に栓が出来る必要が有る。瓶をフタする栓は、ゴム栓や、金属栓など種々の栓を使える。ガスを吹き込むためのパイプの外径はアルコール飲料の瓶に挿入できる太さで１９ｍｍ以下程度で有れば良いが、パイプの口部分の外径はそれより太くても良い。パイプの材質も、ガラス、プラスチック、金属など種々の材質の物を使う事が出来る。コックは炭酸ガスを吹き込んだ後、閉じて瓶内を気密にするために使う。コックの上のパイプは図1の如く曲がっていた方が好ましいが、曲がっていなくても良い。コックの下の瓶に入るパイプの長さはゴム栓より長い必要が有るが、瓶の長さ以下、３０ｃｍ以下程度で良い。パイプを通して瓶のフタをするゴム栓は、材質が天然ゴム、シリコン、合成ゴムなど通常のゴム栓で良い。ゴム栓の形状は通常の円錐台形の物で良く、直径は瓶にふたを出来ればよいが、大まかに１５ｍｍ以上、２５ｍｍ以下程度で良い。炭酸ガスを吹き込むときは、図２でゴム栓を瓶の口に挿し込む前に、ゴム栓を軽く乗せた状態で炭酸ガスの入った袋をゆっくり絞って炭酸ガスを瓶に吹き込みながらゴム栓と瓶の隙間から空気を逃がし、空きスペースを炭酸ガスで満たしたのち、ゴム栓を瓶に押し込んで密閉し、飲料の酸化を防ぐものである。空気を逃がすために図６の様に、ゴム栓の側面に小さな切欠きを付けたものとし、ここから空気を逃し、炭酸ガスを吹き込んだのち、ゴム栓を切欠きの上まで押し込んでフタをしても良い。また、炭酸ガスで瓶の中の空気を置換した後、中のアルコール飲料を空気に触れさせないように取り出す目的で、図７の如く、２本のパイプを入れ、一方のパイプは液面の下まで入れ、もう一方のパイプから炭酸ガスを送って、飲料を全く空気に触れさせないで取り出すようにしても良い。
以上、炭酸ガスを入れる袋と、ゴム栓、コック付きのパイプから成る、アルコール飲料の瓶中の空気を炭酸ガスで置換するための器具を提案するものであるが、このうち、炭酸ガスを入れる袋については、専用の袋でも良く、市販のビニール袋で代用しても構わない。また、入手できれば、炭酸ガスの代わりに他の不活性ガス、例えば窒素ガス等を使っても良い。
【考案の効果】
【０００６】
飲料を飲んで空いたスペースに炭酸ガスを充満させることで、アルコール分の酸化を避けることが出来る。
【図面の簡単な説明】
【０００７】
【図１】炭酸ガスの入った袋とパイプ、ゴム栓を繋いだ図
【図２】図１の器具を瓶に挿したところ
【図３】漏斗状の取り外し出来るフタの付いた袋
【図４】２つの口の付いた袋の例１
【図５】２つの口の付いた袋の例２
【図６】切欠きの付いたゴム栓
【図７】空気が入らない状態で飲料を取り出す器具
【産業上の利用可能性】
【０００８】
従来、ワインやビール、日本酒の他、ウイスキー等の洋酒でも主に７００ｍｌ以上の瓶が多く、酸化する前に1日、長くとも2日程度で飲もうとするため、特に最近の医学に寄れば、国民の健康を害している様子が窺える。単に味の悪化を避けるだけでなく、国民の健康の為にも、開栓後のアルコール飲料を保存出来る様にする技術は必要と見られる。
【図１】
0003196539.tif 000003
【図２】
0003196539.tif 000004
【図３】
0003196539.tif 000005
【図４】
0003196539.tif 000006
【図５】
0003196539.tif 000007
【図６】
0003196539.tif 000008
【図７】
0003196539.tif 000009